(57)【特許請求の範囲】
【請求項１】
表示部と、
無操作時間に基づき画面ロック状態に遷移してから、ロック解除操作に応じた信号の入力に基づき画面ロック状態を解除するまでの経過時間に応じて、画面ロック状態の解除後に前記表示部に表示させる画面を、画面ロック状態に遷移する直前に実行されていた画面表示候補のアプリケーションの画面から前記画面表示候補のアプリケーションの画面と無関係な画面に切り替える制御部と、
を備えた表示装置。
【請求項２】
前記制御部は、前記経過時間が第１閾値よりも小さい場合、前記画面表示候補のアプリケーションの画面に切り替え、前記経過時間が第１閾値以上第２閾値未満の場合、前記画面表示候補のアプリケーションの画面及び前記無関係な画面のうち、前記画面表示候補のアプリケーションの種類に基づいて決定した画面に切り替え、第２閾値以上の場合、前記無関係な画面を表示させる、
請求項１に記載の表示装置。
【請求項３】
前記制御部は、予め登録されたユーザの行動スケジュールに関する情報に基づき、ロック解除操作に応じた信号が入力された時間が、画面表示候補のアプリケーションと対応付けられた行動をユーザが行う時間帯内か否か判定した判定結果と、前記経過時間と、に応じて、画面ロック状態の解除後に前記表示部に表示させる画面を切り替える、
請求項１または請求項２に記載の表示装置。
【請求項４】
前記制御部は、予め登録されたユーザの滞在地に関する情報に基づき、ロック解除操作に応じた信号が入力された場所が、画面表示候補のアプリケーションと対応付けられた滞在地か否か判定した判定結果と、前記経過時間と、に応じて、画面ロック状態の解除後に前記表示部に表示させる画面を決定する、
請求項１または請求項２に記載の表示装置。
【請求項５】
前記制御部は、複数のアプリケーションの各々の実行に関する優先順位をリストに登録して管理し、前記優先順位に基づいて前記画面表示候補のアプリケーションを判定する、
請求項２から請求項４のいずれか１つに記載の表示装置。
【請求項６】
前記制御部は、アプリケーションの種類に応じたリストを参照して、画面ロック状態に遷移した際に前記表示部に表示させていた画面に対応するアプリケーションの種類を判定した判定結果と、前記経過時間と、に応じて、画面ロック状態の解除後に前記表示部に表示させる画面を決定する、
請求項記１から請求項５のいずれか１つに記載の表示装置。
【請求項７】
前記制御部は、経過時間と画面遷移との対応関係を表す情報を設定するサーバから取得した前記対応関係を表す情報に基づいて画面ロック状態の解除後に前記表示部に表示させる画面を決定する、
請求項１から請求項６のいずれか１つに記載の表示装置。
【請求項８】
携帯型の表示装置である、
請求項１から請求項７のいずれか１つに記載の表示装置。
【請求項９】
無操作時間に基づき画面ロック状態に遷移してから、ロック解除操作に応じた信号の入力に基づき画面ロック状態を解除するまでの経過時間に応じて、画面ロック状態の解除後に表示部に表示させる画面を、画面ロック状態に遷移する直前に実行されていた画面表示候補のアプリケーションの画面から前記画面表示候補のアプリケーションの画面と無関係な画面に切り替える制御部を備えた、
表示制御装置。
【請求項１０】
コンピュータに、
無操作時間に基づき画面ロック状態に遷移してから、ロック解除操作に応じた信号の入力に基づき画面ロック状態を解除するまでの経過時間に応じて、画面ロック状態の解除後に表示部に表示させる画面を、画面ロック状態に遷移する直前に実行されていた画面表示候補のアプリケーションの画面から前記画面表示候補のアプリケーションの画面と無関係な画面に切り替える、
ことを含む処理を実行させるための表示制御プログラム。
【請求項１１】
画面ロック状態の解除後に前記表示部に表示させる画面を、前記経過時間に応じて、画面表示候補のアプリケーションの画面、又は、前記アプリケーションの画面以外の画面に切り替える、
ことを含む処理をコンピュータに実行させるための請求項１０に記載の表示制御プログラム。
【請求項１２】
予め登録されたユーザの行動スケジュールに関する情報に基づき、ロック解除操作に応じた信号が入力された時間が、画面表示候補のアプリケーションと対応付けられた行動をユーザが行う時間帯内か否か判定した判定結果と、前記経過時間と、に応じて、画面ロック状態の解除後に前記表示部に表示させる画面を切り替える、
ことを含む処理をコンピュータに実行させるための請求項１０または請求項１１に記載の表示制御プログラム。
【請求項１３】
予め登録されたユーザの滞在地に関する情報に基づき、ロック解除操作に応じた信号が入力された場所が、画面表示候補のアプリケーションと対応付けられた滞在地か否か判定した判定結果と、前記経過時間と、に応じて、画面ロック状態の解除後に前記表示部に表示させる画面を決定する、
ことを含む処理をコンピュータに実行させるための請求項１０または請求項１１に記載の表示制御プログラム。
【請求項１４】
前記画面表示候補のアプリケーションは画面ロック状態に遷移する直前に実行されていたアプリケーションである、
ことを含む処理をコンピュータに実行させるための請求項１１から請求項１３のいずれか１つに記載の表示制御プログラム。
【請求項１５】
複数のアプリケーションの各々の実行に関する優先順位をリストに登録して管理し、前記優先順位に基づいて前記画面表示候補のアプリケーションを判定する、
ことを含む処理をコンピュータに実行させるための請求項１１から請求項１３のいずれか１つに記載の表示制御プログラム。
【請求項１６】
コンピュータにより、
無操作時間に基づき画面ロック状態に遷移してから、ロック解除操作に応じた信号の入力に基づき画面ロック状態を解除するまでの経過時間に応じて、画面ロック状態の解除後に表示部に表示させる画面を、画面ロック状態に遷移する直前に実行されていた画面表示候補のアプリケーションの画面から前記画面表示候補のアプリケーションの画面と無関係な画面に切り替える、
ことを含む処理を実行させる表示制御方法。
【発明の詳細な説明】
【技術分野】
【０００１】
本発明は、表示装置、表示制御装置、表示制御プログラム、及び表示制御方法に関する。
【背景技術】
【０００２】
表示部を備えた携帯型情報端末装置等において、不正使用の防止や誤動作の防止のため、無操作時間が一定時間以上になった等の場合に、画面ロック状態に遷移し、予め定められた操作のみを受け付ける技術がある。
【０００３】
また、画面ロックに関する技術として、画面ロック状態の継続時間に応じて画面ロック状態の解除後に表示部に表示させる画面の表示時間及びバックライトの点灯時間を制御する技術がある。
【先行技術文献】
【特許文献】
【０００４】
【特許文献１】特開２００７−３２９５２３号公報
【発明の概要】
【発明が解決しようとする課題】
【０００５】
画面ロック状態に遷移した場合、表示部に表示される画面は、画面ロック状態に遷移する前に表示されていた画面と異なる画面に切り替わることが多い。例えば、画面がオフ（消灯）状態に変化したり、画面ロック状態であることを表す画面ロック画面に変化したり、スクリーンセーバを表示する画面が表示されたりする。
【０００６】
しかし、例えば、携帯型情報端末装置は、画面ロック状態の間にユーザが移動する場合がある。この場合、ユーザの移動に伴い、画面ロック状態を解除したときの端末装置の周囲環境が、アプリケーションの画面を表示部に再表示させることが情報漏洩等の観点から望ましくない環境に変化していることが考えられる。
【０００７】
また、画面ロック状態の間に、例えば、外部からの情報受信等に応じてアプリケーションが起動された等の場合、画面ロック状態が解除された際にユーザが予期していない画面が表示部に表示される可能性もある。この場合も、周囲環境によっては情報漏洩の恐れがある。
【０００８】
一つの側面では、本発明は、ユーザの使い勝手を維持しつつ、情報漏洩を抑制することが目的である。
【課題を解決するための手段】
【０００９】
１つの態様では、表示部と、制御部と、を備える。制御部は、無操作時間に基づき画面ロック状態に遷移してから、ロック解除操作に応じた信号の入力に基づき画面ロック状態を解除するまでの経過時間に応じて、画面ロック状態の解除後に表示部に表示させる画面を切り替える。制御部は、画面の切り替えとして、画面ロック状態に遷移する直前に実行されていた画面表示候補のアプリケーションの画面から前記画面表示候補のアプリケーションの画面と無関係な画面への切り替えを行う。
【発明の効果】
【００１０】
一つの側面では、ユーザの使い勝手を維持しつつ、情報漏洩を抑制することができる、という効果を有する。
【図面の簡単な説明】
【００１１】
【図１】第１実施形態に係る携帯型情報端末装置における表示制御処理に関する機能に係わる概略構成の一例を表すブロック図である。
【図２Ａ】第１実施形態に係る携帯型情報端末装置の一例の外観図であり、図２Ｂに示したＸ方向から筐体を視認した側面図である。
【図２Ｂ】第１実施形態に係る携帯型情報端末装置の一例の外観図であり、表面側（ディスプレイを備える面）の平面図である。
【図２Ｃ】第１実施形態に係る携帯型情報端末装置の一例の外観図であり、裏面側の平面図である。
【図３】第１実施形態に係る携帯型情報端末装置を実現するハードウエアの概略構成を示すブロック図である。
【図４】ホーム画面の具体例を表す図である。
【図５】画面ロック画面の具体例を表す図である。
【図６】アプリ画面の具体例を表す図である。
【図７】第１実施形態に係る携帯型情報端末装置のアプリ管理部におけるアプリの管理及び画面制御部における表示画面の制御を説明するための図である。
【図８】管理リストの具体例を表す図である。
【図９】勤務時間表の具体例を表す図である。
【図１０】第１実施形態に係るサーバを実現するハードウエアの概略構成を示すブロック図である。
【図１１】第１実施形態に係るサーバで実行される設定処理の一例のフローチャートである。
【図１２】第１実施形態に係る携帯型情報端末装置で実行される表示制御処理の第一処理の一例のフローチャートである。
【図１３】第１実施形態に係る携帯型情報端末装置で実行される表示制御処理の第二処理の一例のフローチャートである。
【図１４】画面ロック解除後にホーム画面を表示する場合の優先順位の変化を説明する図である。
【図１５】携帯型情報端末装置のディスプレイの画面がオフ状態になった場合の具体例を表す図である。
【図１６】第１実施形態に係る対応関係表の具体例を表す図である。
【図１７】第１実施形態に係る携帯型情報端末装置で実行される表示制御処理の第二処理における画面遷移判定処理の一例のフローチャートである。
【図１８】第１実施形態に係る画面遷移判定表の具体例を表す図である。
【図１９】第２実施形態に係る携帯型情報端末装置における表示制御処理に関する機能に係わる概略構成の一例を表すブロック図である。
【図２０】第２実施形態に係る携帯型情報端末装置を実現するハードウエアの概略構成を示すブロック図である。
【図２１】第２実施形態に係る勤務地表、対応関係表、及び画面遷移判定表の具体例を表す図である。
【図２２】第２実施形態に係る携帯型情報端末装置で実行される表示制御処理の第一処理の一例のフローチャートである。
【図２３】第２実施形態に係る携帯型情報端末装置で実行される表示制御処理の第二処理における画面遷移判定処理の一例のフローチャートである。
【図２４】その他の実施形態に係るディスプレイ及び表示制御装置を実現するハードウエアの概略構成を示すブロック図である。
【発明を実施するための形態】
【００１２】
以下、図面を参照して開示の技術の一例を詳細に説明する。
【００１３】
［第１実施形態］
本実施形態では、開示の技術の一例として表示装置が携帯型情報端末装置である場合、より具体的には、スマートフォンである態様について説明する。
【００１４】
図２Ｂに示すように、携帯型情報端末装置１０Ａの筐体１１の表面側には、ホームボタン１６、インカメラ１８、及びディスプレイ２０が設けられている。本実施形態のディスプレイ２０は、表示部（表示部２０Ａ、図３参照）としての機能及びタッチパネル（タッチパネル２０Ｂ、図３参照）としての機能を備えたいわゆるタッチパネルディスプレイである。ホームボタン１６は、ユーザがホームアプリケーション（詳細後述、以下、「アプリケーション」を「アプリ」と称する）の起動を指示するためのボタンである。インカメラ１８は、携帯型情報端末装置１０Ａの表面側に位置する被写体を撮影する機能を有し、主に携帯型情報端末装置１０Ａのユーザ自身を撮影（いわゆる自撮り）するために用いられる。
【００１５】
また、図２Ａに示すように、携帯型情報端末装置１０Ａの筐体１１の側面には、音量のアップを指示するための音量ボタン１２、音量のダウンを指示するための音量ボタン１３、及び電源ボタン１４が設けられている。
【００１６】
また、図２Ｃに示すように携帯型情報端末装置１０Ａの筐体１１の裏面には、アウトカメラ２２及び指紋認証ボタン２４が設けられている。アウトカメラ２２は、携帯型情報端末装置１０Ａの裏面側に位置する被写体を撮影する。指紋認証ボタン２４は、ユーザの指紋認証を必要とする場合に、ユーザが指紋認証の実行を指示するためのボタンである。
【００１７】
図１に示すように、本実施形態の携帯型情報端末装置１０Ａは、端末状態管理部３０、タッチセンサ制御部３２、ハードキー制御部３４、アプリ管理部３６、各種のアプリを記憶する記憶部３８、画面制御部４０、及びタイマ４２を備える。また、本実施形態の携帯型情報端末装置１０Ａは、表・リスト管理部４４及び表・リスト記憶部４６を備える。
【００１８】
端末状態管理部３０は、携帯型情報端末装置１０Ａ全体を管理する。また、端末状態管理部３０は、タッチセンサ制御部３２、ハードキー制御部３４、アプリ管理部３６、及び表・リスト管理部４４から受け取った情報を、画面制御部４０に出力する。端末状態管理部３０、アプリ管理部３６、画面制御部４０、及び表・リスト管理部４４は、開示の技術の制御部の一例である。
【００１９】
タッチセンサ制御部３２は、ディスプレイ２０のタッチパネルに対するユーザ操作を認識してその情報を出力する。
【００２０】
ハードキー制御部３４は、音量ボタン１２、音量ボタン１３、電源ボタン１４、ホームボタン１６、及び指紋認証ボタン２４等（図２Ａ〜２Ｃ参照）のハードキー群６８（図３参照）に対するユーザ操作を認識してその情報を出力する。
【００２１】
アプリ管理部３６は、記憶部３８に記憶されているアプリの優先順位や実行（状態）等を管理する。本実施形態の携帯型情報端末装置１０Ａの記憶部３８には、アプリとして、ホームアプリ３８Ａ、ロックアプリ３８Ｂ、及びその他アプリ３８Ｃが記憶されている。
【００２２】
記憶部３８に記憶されているホームアプリ３８Ａは、ホーム画面（待受画面）をディスプレイ２０に表示する機能を実現し、またホーム画面をカスタマイズできる機能を実現するアプリである。図４には、本実施形態のホーム画面の具体例を表す図を示す。本実施形態の携帯型情報端末装置１０Ａでは、ホームボタン１６がユーザにより操作（押下）されると、ホームアプリ３８Ａが起動し、ホーム画面２００がディスプレイ２０に表示される。
【００２３】
記憶部３８に記憶されているロックアプリ３８Ｂは、画面ロック状態で予め定められた操作のみを受け付ける画面ロック機能（セキュリティロック機能も含む）を実現するアプリである。予め定められた操作の具体例としては、緊急通報を行うための操作や画面ロック状態の解除に関する操作等がある。これらの操作はロック解除操作の一例である。画面ロック状態では、ディスプレイ２０には、画面ロック画面が表示される。図５には、本実施形態の画面ロック画面の具体例を表す図を示す。図５に示すように、本実施形態の画面ロック画面２０２は、画面ロック状態であることを表している。
【００２４】
また、記憶部３８に記憶されているその他アプリ３８Ｃは、携帯型情報端末装置１０Ａに予めインストールされているか、またはユーザからの指示でダウンロードされた後にインストールされたアプリである。なお、その他アプリ３８Ｃは、上記ホームアプリ３８Ａ及びロックアプリ３８Ｂ以外のアプリである。その他アプリ３８Ｃの実行中は、ディスプレイ２０には、その他アプリ３８Ｃの実行に応じたアプリ画面が表示される。図６には、本実施形態のアプリ画面の一例を示す。
【００２５】
図４〜６に示したように、本実施形態の携帯型情報端末装置１０Ａでは、画面ロック画面２０２は、ホーム画面２００及びアプリ画面２０４とは表示内容が相違している。
【００２６】
画面制御部４０は、ディスプレイ２０に表示する画面を制御する。ここで、本実施形態のアプリ管理部３６におけるアプリの管理及び画面制御部４０における表示画面の制御について説明する。図７には、アプリ管理部３６におけるアプリの管理及び画面制御部４０における表示画面の制御を説明するための図を示す。
【００２７】
携帯型情報端末装置１０Ａのディスプレイ２０に表示される画面は、各種のアプリの状態に応じて変化する。本実施形態では、アプリの状態として複数種類（具体例としては３種類）の状態が存在し、ディスプレイ２０に表示される画面は個々のアプリの状態の変化に応じて切り替わる。
【００２８】
本実施形態において、アプリの状態は「起動中」と未起動である「終了状態」とに大別され、更に、「起動中」の状態には「実行中」と「停止中」の２つの状態が存在する。「起動中」のアプリのうち、アプリの実行に応じた画面（アプリ画面２０４）がディスプレイ２０に表示されている、いわゆるフォアグラウンドのアプリの状態を「実行中」という。
【００２９】
また、「起動中」のアプリのうち、ディスプレイ２０に画面が非表示（バックグラウンド）のアプリの状態を「停止中」という。本実施形態では、停止中の状態には、バックグラウンドにおいて実行中である場合も含む。
【００３０】
なお、図７では、実行中のアプリが１つの場合を図示したが、実行中のアプリが複数の場合も有る。この場合は、実行中である複数のアプリに応じた複数の画面がディスプレイ２０に表示される。
【００３１】
アプリ管理部３６は、起動中のアプリの優先順位をリストに登録して管理する。アプリ管理部３６は、一例として、アプリ実行時刻（具体例としては実行を開始した時刻）が新しい順にアプリの優先順位を高くする。
【００３２】
例えば、あるアプリが新たに起動された場合、アプリ管理部３６は、新たに起動されたアプリの優先順位を１位とする。そして、アプリ管理部３６は、起動中の他のアプリの優先順位を１ずつ繰り下げ、実行中のアプリ群の中で優先順位が最下位のアプリを停止中のアプリ群へ移動させる（停止中のアプリ群の中で最も高い優先順位にする）。画面制御部４０は、優先順位が１位のアプリ（ここでは新たに起動したアプリ）のアプリ画面２０４をディスプレイ２０に表示させる。また、画面制御部４０は、停止中のアプリ群へ移動されたアプリのアプリ画面２０４を非表示とする。
【００３３】
一方、フォアグラウンド（実行中）のアプリが終了した場合は、アプリ管理部３６は終了したアプリを終了状態とする。また、起動中の各アプリの優先順位を１ずつ繰り上げ、停止中のアプリ群の中で優先順位が最上位のアプリを実行中のアプリへ移動させる。なお、この際、実行中のアプリが複数有る場合、移動させたアプリの優先順位を実行中のアプリ群の中で最も低い優先順位にする。さらに、画面制御部４０は、実行中のアプリ群へ移動させたアプリのアプリ画面２０４をディスプレイ２０に表示する。
【００３４】
なお、ロックアプリ３８Ｂは、ディスプレイ２０の画面オフ（消灯）後に、画面がオン（点灯）状態に変化した場合に優先順位が１になって実行中(フォアグラウンド)に切り替わり、画面ロック状態の解除後に終了状態となる。
【００３５】
また、ホームアプリ３８Ａは、携帯型情報端末装置１０Ａの電源オン時に最初に起動されるので、基本的にバックグラウンドアプリ群の最も優先順位が低い位置にいる。しかし、アプリ管理部３６は、ホームボタン１６がユーザにより操作（押下）されると、ホームアプリ３８Ａを、実行中のアプリ群へ移動させ（優先順位を上げ）、ホームアプリ３８Ａをフォアグラウンド（実行中）にする。
【００３６】
なお、本実施形態では、バックグラウンド（停止中）のアプリは、ユーザが明示的に終了させるか、メモリ（図３、メモリ６２参照）が枯渇してオペレーティングシステムによって強制終了されるまで、起動し続ける。
【００３７】
タイマ４２は、いわゆるソフトウエアタイマであってもよいし、ハードウエアタイマであってもよい。
【００３８】
表・リスト管理部４４は、予め定められたタイミングでサーバ５０から管理リスト４７Ａ及び勤務時間表４７Ｂを取得して表・リスト記憶部４６に記憶されている管理リスト４７Ａ及び勤務時間表４７Ｂを更新する。
【００３９】
さらに本実施形態の表・リスト管理部４４は、画面ロック状態の解除後にディスプレイ２０に表示させる画面を判定する。表・リスト管理部４４は、表・リスト記憶部４６に記憶されている管理リスト４７Ａ、勤務時間表４７Ｂ、対応関係表４７Ｃ、及び画面遷移判定表４７Ｄに基づき画面ロック状態の解除後にディスプレイ２０に表示させる画面の判定を行う。
【００４０】
そのため、表・リスト記憶部４６には、図１に示すように対応関係表４７Ｃ及び画面遷移判定表４７Ｄ（いずれも、詳細後述）が記憶されている。
【００４１】
本実施形態の携帯型情報端末装置１０Ａは、例えば図３に示すハードウエアにより実現することができる。
【００４２】
携帯型情報端末装置１０Ａは、表示部２０Ａ、タッチパネル２０Ｂ、Central Processing Unit（以下、「ＣＰＵ」という）６０、メモリ６２、不揮発性の記憶部６４、及び無線Interface（以下、「Ｉ／Ｆ」という）６６を備える。また、携帯型情報端末装置１０Ａは、ハードキー群６８、時計７０、及び電源７２を備える。
【００４３】
表示部２０Ａ、タッチパネル２０Ｂ、メモリ６２、記憶部６４、無線Ｉ／Ｆ６６、ハードキー群６８、時計７０、及び電源７２は、図示を省略したバスやＩ／Ｆ等を介して、ＣＰＵ６０に接続されている。
【００４４】
無線Ｉ／Ｆ６６は、サーバ５０や他の携帯型情報端末装置１０Ａと無線通信を行う。ハードキー群６８は、図２に示した電源ボタン１４、ホームボタン１６、及び指紋認証ボタン２４等を含む。時計７０は、現在の日付及び現在の時刻をカウントする。電源７２は、携帯型情報端末装置１０Ａの動作に要する電力を供給する。
【００４５】
記憶部６４はHard Disk Drive（以下、「ＨＤＤ」という）やフラッシュメモリ等によって実現できる。記憶媒体としての記憶部６４には、表示制御プログラム７４が記憶されている。ＣＰＵ６０は、表示制御プログラム７４を記憶部６４から読み出してメモリ６２に展開し、表示制御プログラム７４が有するプロセスを実行することにより、制御部２９として動作する。
【００４６】
表示制御プログラム７４は、端末状態管理プロセス７６、タッチセンサ制御プロセス７８、ハードキー制御プロセス８０、アプリ管理プロセス８２、画面制御プロセス８４、及び表・リスト管理プロセス８６を有する。
【００４７】
ＣＰＵ６０は、端末状態管理プロセス７６を実行することで、端末状態管理部３０として動作する。また、ＣＰＵ６０は、タッチセンサ制御プロセス７８を実行することで、タッチセンサ制御部３２として動作する。また、ＣＰＵ６０は、ハードキー制御プロセス８０を実行することで、ハードキー制御部３４として動作する。また、ＣＰＵ６０は、アプリ管理プロセス８２を実行することで、アプリ管理部３６として動作する。また、ＣＰＵ６０は、画面制御プロセス８４を実行することで、画面制御部４０として動作する。また、ＣＰＵ６０は、表・リスト管理プロセス８６を実行することで、表・リスト管理部４４として動作する。
【００４８】
また、記憶部６４における表・リスト記憶領域８８は表・リスト記憶部４６として機能する。表・リスト記憶領域８８の管理リスト記憶領域９０は、管理リスト４７Ａが記憶される記憶領域として機能する。また、勤務時間表記憶領域９２は、勤務時間表４７Ｂが記憶される記憶領域として機能する。また、対応関係表記憶領域９４は、対応関係表４７Ｃが記憶される記憶領域として機能する。また、画面遷移判定表記憶領域９６は、画面遷移判定表４７Ｄが記憶される記憶領域として機能する。
【００４９】
また、記憶部６４における各種アプリ記憶領域９８は記憶部３８都市的の得する。各種アプリ記憶領域９８のホームアプリ記憶領域１００は、ホームアプリ３８Ａが記憶される記憶領域として機能する。また、ロックアプリ記憶領域１０２は、ロックアプリ３８Ｂが記憶される記憶領域として機能する。また、その他アプリ記憶領域１０４は、その他アプリ３８Ｃが記憶される記憶領域として機能する。
【００５０】
一方、図１に示したサーバ５０は、表・リスト設定部５２及び表・リスト記憶部５４を備える。表・リスト設定部５２は、携帯型情報端末装置１０Ａのユーザが勤務する会社や企業等の、管理者等が設定した管理リスト４７Ａ及び勤務時間表４７Ｂを表・リスト記憶部５４に記憶させる。
【００５１】
本実施形態において、管理者は、管理リスト４７Ａを設定することで、その他アプリ３８Ｃを種類毎に分類する。具体例として、その他アプリ３８Ｃを「ビジネス」及び「プライベート」の２種類に分類する。「ビジネス」は、携帯型情報端末装置１０Ａを使用するユーザがビジネスで使用するアプリである。「プライベート」は、携帯型情報端末装置１０Ａを使用するユーザがプライベートで使用するアプリである。
【００５２】
本実施形態では、管理者が、その他アプリ３８Ｃの種類を「ビジネス」及び「プライベートの」いずれかに分類する。分類方法は特に限定されず、例えば、「ビジネス」に該当するその他アプリ３８Ｃを予め定めておき、「ビジネス」に該当しないその他アプリ３８Ｃを「プライベート」と分類することができる。そのため、本実施形態の管理リスト４７Ａは、図８に例示したように、ビジネスリスト４７Ａ１及びプライベートリスト４７Ａ２の２つを含む。なお、ビジネスリスト４７Ａ１のみ登録し、ビジネスリスト４７Ａ１に未登録のアプリを「プライベート」と判別してもよい。
【００５３】
また、本実施形態では、図９に例示したように勤務時間表４７Ｂには、勤務時間帯内となる時間帯と勤務時間帯外となる時間帯とが設定されている。
【００５４】
本実施形態のサーバ５０は、例えば図１０に示すハードウエアにより実現することができる。
【００５５】
サーバ５０は、ＣＰＵ１２０、メモリ１２２、不揮発性の記憶部１２４、及び通信Ｉ／Ｆ１２６、ハードキー群１２８、及び表示部１３０を備える。メモリ１２２、不揮発性の記憶部１２４、及び通信Ｉ／Ｆ１２６、ハードキー群１２８、及び表示部１３０は、図示を省略したバスやＩ／Ｆ等を介して、ＣＰＵ１２０に接続されている。
【００５６】
通信Ｉ／Ｆ１２６は、携帯型情報端末装置１０Ａと通信を行うためのものである。サーバ５０は、無線及び有線のいずれにより通信を行ってもよい。ハードキー群１２８は、管理者が管理リスト４７Ａ及び勤務時間表４７Ｂを設定するための情報等を入力するためのものであり、例えば、キーボードやマウス等である。表示部１３０は各種情報を表示するものであり、例えばディスプレイ等である。
【００５７】
記憶部１２４はＨＤＤやフラッシュメモリ等によって実現できる。記憶媒体としての記憶部１２４には、設定プログラム１３２が記憶されている。ＣＰＵ６０は、設定プログラム１３２を記憶部１２４から読み出してメモリ１２２に展開し、設定プログラム１３２が有するプロセスを実行する。
【００５８】
設定プログラム１３２は、表・リスト設定プロセス１３４を有する。ＣＰＵ６０は、表・リスト設定プロセス１３４を実行することで、表・リスト設定部５２として動作する。
【００５９】
また、記憶部１２４における表・リスト記憶領域１３６は表・リスト記憶部５４として機能する。管理リスト記憶領域１３８は、管理リスト４７Ａが記憶される記憶領域として機能する。勤務時間表記憶領域１４０は、勤務時間表４７Ｂが記憶される記憶領域として機能する。
【００６０】
次に、本実施形態に係る携帯型情報端末装置１０Ａの作用について説明する。
【００６１】
本実施形態の携帯型情報端末装置１０Ａは、管理者が設定した管理リスト４７Ａ及び勤務時間表４７Ｂをサーバ５０から取得する。そのため、まず、管理者が管理リスト４７Ａ及び勤務時間表４７Ｂを設定する際にサーバ５０において実行される設定処理について説明する。
【００６２】
図１１に示した設定処理は、管理リスト４７Ａ及び勤務時間表４７Ｂの少なくとも一方の設定の実行を管理者から指示されると実行される。
【００６３】
ステップＳ１０で表・リスト設定部５２は、管理者が入力した管理リスト４７Ａの設定を受け付ける。具体的には、表・リスト設定部５２は、上述したように、その他アプリ３８Ｃに含まれるアプリの種類が「ビジネス」であるか、「プライベート」であるかの設定を受け付ける。
【００６４】
次のステップＳ１２で表・リスト設定部５２は、受け付けた設定に基づいて、表・リスト記憶部５４に記憶されている管理リスト４７Ａを更新する。
【００６５】
次のステップＳ１４で表・リスト設定部５２は、管理者が入力した勤務時間表４７Ｂの設定を受け付ける。具体的には、表・リスト設定部５２は、上述したように、勤務時間帯内となる時間帯と勤務時間帯外となる時間帯との設定を受け付ける。
【００６６】
次のステップＳ１６で表・リスト設定部５２は、受け付けた設定に基づいて、表・リスト記憶部５４に記憶されている勤務時間表４７Ｂを更新した後、本設定処理を終了する。なお、管理者が管理リスト４７Ａ及び勤務時間表４７Ｂのいずれか一方の設定のみを行う場合は、他方に対応する処理については実行を省略してもよい。
【００６７】
携帯型情報端末装置１０Ａは、上記のようにしてサーバ５０の表・リスト記憶部５４に記憶された管理リスト４７Ａ及び勤務時間表４７Ｂを、予め定められたタイミングでサーバ５０から取得する。
【００６８】
本実施形態の携帯型情報端末装置１０Ａで実行される表示制御処理は、第一処理及び第二処理を含む。第一処理は、サーバ５０から管理リスト４７Ａ及び勤務時間表４７Ｂを取得する処理である。
【００６９】
まず、当該第一処理について説明する。図１２に示した第一処理は、予め定められたタイミングで実行される。予め定められたタイミングは特に限定されるものではなく、例えば、所定の日数毎、所定の時間毎、及び所定の処理の実行毎等が挙げられる。また、第一処理を実行する際における携帯型情報端末装置１０Ａの状態は特に限定されるものではなく、例えば、通常状態やスリープ状態においてバックグラウンドで実行されてもよい。また、図１２に示した第一処理では、管理リスト４７Ａ及び勤務時間表４７Ｂを取得するタイミングを同一とし、一連の処理で取得しているが、各々を取得するタイミングを異ならせてもよい。
【００７０】
ステップＳ１００で表・リスト管理部４４は、サーバ５０に対して管理リスト４７Ａ及び勤務時間表４７Ｂの送信を要求し、当該要求に応じてサーバ５０から送信された管理リスト４７Ａ及び勤務時間表４７Ｂを受信することで取得する。
【００７１】
次のステップＳ１０２で表・リスト管理部４４は、取得した管理リスト４７Ａ及び勤務時間表４７Ｂに基づいて、表・リスト記憶部４６に記憶されている管理リスト４７Ａ及び勤務時間表４７Ｂを更新した後、本第一処理を終了する。
【００７２】
一方、表示制御処理の第二処理は、画面ロック状態への遷移条件を満たした場合に画面ロック状態に遷移するために実行される処理及び画面ロック状態の解除後にディスプレイ２０に表示する画面を制御するために実行される処理を含む。図１３に示した第二処理は、通常状態（スリープ状態及び画面ロック状態のいずれでもない状態）において実行される。
【００７３】
ステップＳ２００で端末状態管理部３０は、現在から過去の第１の所定時間以内にユーザ操作が行われたか否かを判定する。具体的には、ロックアプリ３８Ｂ（を実行するＣＰＵ６０）は、ユーザ操作が行われていない無操作時間をタイマ４２により計測し、計測した無操作時間が第１の所定時間を超えるか否かを判定する。ロックアプリ３８Ｂは、無操作時間が第１の所定時間以内のタイミングでユーザ操作が行われた場合は、タイマ４２が計測している無操作時間をリセットして、無操作時間の計時を再度開始する。そして、ロックアプリ３８Ｂは、無操作時間が第１の所定時間を超えた場合は、端末状態管理部３０に通知する。端末状態管理部３０は、ロックアプリ３８Ｂから無操作時間が第１の所定時間を超えたことが通知された場合、第１の所定時間以内にユーザ操作が行われなかったため、ステップＳ２００が否定判定となり、ステップＳ２０２へ移行する。端末状態管理部３０は、ロックアプリ３８Ｂから無操作時間が第１の所定時間を超えたことが通知されていない間、ステップＳ２００の判定が肯定されることで、ステップＳ２００の処理を繰り返す。
【００７４】
ステップＳ２０２で端末状態管理部３０は、携帯型情報端末装置１０Ａをスリープ状態に遷移させる。なお、本実施形態において「スリープ状態」とは、実行中のアプリが無い状態をいう。そのため端末状態管理部３０は、具体的には実行中の全てのアプリの状態を停止中に変更する。なお、この際、アプリの優先順位は変動しない（図１４に示す「スリープ状態」を参照）。
【００７５】
次のステップＳ２０４で画面制御部４０は、ディスプレイ２０の画面をオフ（消灯）状態にし、また、携帯型情報端末装置１０Ａを画面ロック状態に遷移させる。具体的には、端末状態管理部３０が、画面をオフ状態とする制御命令を画面制御部４０へ出力する。画面制御部４０は、当該制御命令に応じて、ディスプレイ２０の画面をオフ（消灯）状態にする。図１５には、本実施形態の携帯型情報端末装置１０Ａにおいてディスプレイ２０の画面がオフ状態になった場合の具体例を表す図を示す。本ステップの実行により、ディスプレイ２０の画面は、ホーム画面２００を表示していた状態（図４参照）やアプリ画面２０４を表示していた状態（図６参照）から、オフ（消灯）状態（図１５参照）に変化する。
【００７６】
次のステップＳ２０６で端末状態管理部３０は、復帰要求を検出したか否かを判定する。
【００７７】
ユーザは、携帯型情報端末装置１０Ａをスリープ状態から復帰させたい場合、電源ボタン１４、ホームボタン１６、及び指紋認証ボタン２４等のハードキー群６８の何れかを操作することにより復帰要求を行う。そのため、端末状態管理部３０は、ハードキー制御部３４が復帰要求を検出したか否かを判定する。
【００７８】
なお、スリープ状態からの復帰を要求するためのユーザ操作は上記に限定されるものではなく、例えば、ディスプレイ２０のタッチ（タップ、フリック、及びスワイプ等を含む）操作や携帯型情報端末装置１０Ａを握る動作等であってもよい。
【００７９】
復帰要求を検出していない場合は否定判定となりスリープ状態を維持する。一方、ハードキー制御部３４が復帰要求を検出した場合は肯定判定となりステップＳ２０８へ移行する。なお、本実施形態の端末状態管理部３０は、ハードキー制御部３４が復帰要求を検出した場合、アプリ管理部３６へ復帰命令を出力する。
【００８０】
ステップＳ２０８でアプリ管理部３６は、ロックアプリ３８Ｂの優先順位を１位に移動させる。また、アプリ管理部３６は、起動中の他のアプリの優先順位を１つずつ繰り下げる。これらの処理により、アプリの優先順位は一例として図１４に示す「画面ロック状態」へ変化する。
【００８１】
次のステップＳ２１０で画面制御部４０は、ディスプレイ２０の画面をオン（点灯）状態にする。
【００８２】
さらに次のステップＳ２１２で画面制御部４０は、ロックアプリ３８Ｂの画面をディスプレイ２０に表示させる。図１４に「画面ロック状態」として示すように、ロックアプリ３８Ｂは優先順位が１位のアプリである。そのため、アプリ管理部３６が、優先順位が１位のアプリを実行中とすることにより、ロックアプリ３８Ｂが実行中となる。画面制御部４０は、ロックアプリ３８Ｂの画面ロック画面２０２（図５参照）をディスプレイ２０に表示させる。
【００８３】
次のステップＳ２１４で端末状態管理部３０が、第２の所定時間以内にユーザ操作が行われたか否かを判定する。具体的には、ロックアプリ３８Ｂは、ユーザ操作が行われない無操作時間をタイマ４２により計測し、計測した無操作時間が第２の所定時間を超えたか否かを判定する。そして、ロックアプリ３８Ｂは、無操作時間が第２の所定時間を超えた場合、端末状態管理部３０に通知する。
【００８４】
端末状態管理部３０は、無操作時間が第２の所定時間を超えたことがロックアプリ３８Ｂから通知された場合は、ステップＳ２１４が否定判定となりステップＳ２１６へ移行する。ステップＳ２１６で端末状態管理部３０は、ロックアプリ３８Ｂを終了状態に切り替え、また、上記ステップＳ２０２の処理と同様に、携帯型情報端末装置１０Ａをスリープ状態に遷移させる。
【００８５】
そして次のステップＳ２１８で画面制御部４０は、上記ステップＳ２０４と同様に、ディスプレイ２０の画面をオフ（消灯）状態にし、さらにロック状態に遷移した後、ステップＳ２０６に戻り、上記処理を繰り返す。
【００８６】
一方、復帰要求が検出されてから第２の所定時間以内にユーザ操作が行われた場合はステップＳ２１４が肯定判定となり、ステップＳ２２０へ移行する。
【００８７】
ステップＳ２２０で端末状態管理部３０は、画面ロック状態の解除操作が検出されたか否かを判定する。本実施形態では、ユーザは、画面ロック状態を解除したい場合、画面ロック状態の解除操作を行うことで画面ロック状態の解除を要求する。なお、解除操作はハードキー群６８の操作でもよいし、ディスプレイ２０の画面へのタップ、スワイプ、パターン、暗証番号入力、及びパスワード入力等のタッチ操作の何れであってもよい。また例えば、インカメラ１８を用いた顔認証、指紋認証ボタン２４を用いた指紋認証、及びインカメラ１８や赤外線カメラ（図示省略）等を用いた虹彩認証等の生体認証であってもよい。
【００８８】
本実施形態では、具体例として、ロックアプリ３８Ｂが、ハードキー制御部３４の操作（解除操作）に応じた信号の検出結果に基づいて、解除操作が行われたか否かを判定する。解除操作が行われたと判定した場合、ロックアプリ３８Ｂは、端末状態管理部３０に通知する。
【００８９】
解除操作が行われたことが通知されなかった場合、ステップＳ２２０が否定判定となり、ステップＳ２１４に戻る。一方、解除操作が行われたことが通知された場合、ステップＳ２２０が肯定判定となり、ステップＳ２２２へ移行する。
【００９０】
ステップＳ２２２で端末状態管理部３０は、画面ロック状態に遷移してから解除操作が検出されるまでの経過時間が「短い」か否かを判定する。具体的には、端末状態管理部３０は、画面ロック状態に遷移してから解除操作が検出されるまでの経過時間をタイマ４２から取得する。
【００９１】
そして、端末状態管理部３０は、表・リスト記憶部４６に記憶されている対応関係表４７Ｃに基づいて、経過時間が「短い」か否かを判定する。本実施形態の対応関係表４７Ｃは、経過時間の長短の評価と、経過時間と、画面遷移と、の対応関係を表すものである。
【００９２】
本実施形態では、図１６に例示したように、経過時間が１分未満の場合に長短の評価を「短い」としている。また、経過時間が１時間以上の場合に長短の評価を「長い」とし、さらに経過時間が１分以上かつ１時間未満の場合に長短の評価を「どちらでもない」としている。
【００９３】
経過時間が１分未満の場合は経過時間が「短い」に該当するため、肯定判定となりステップＳ２３４へ移行する。一方、経過時間が１分以上の場合は経過時間が「短い」に該当しないため、否定判定となりステップＳ２２４へ移行する。
【００９４】
ステップＳ２２４で端末状態管理部３０は、上記ステップＳ２２２と同様にして経過時間が「長い」か否かを判定する。経過時間が１時間以上の場合は経過時間が「長い」に該当するため、肯定判定となりステップＳ２３２へ移行する。ステップＳ２３２でアプリ管理部３６は、ホームアプリ３８Ａの優先順位を１位にする変更を行った後、ステップＳ２３４へ移行する。具体的には、表・リスト管理部４４が、ホームアプリ３８Ａの優先順位を１位にするよう制御命令をアプリ管理部３６に出力する。アプリ管理部３６は当該制御命令に応じてホームアプリ３８Ａの優先順位を１位にし、起動中の他のアプリの優先順位を繰り下げる。これにより、起動中のアプリの優先順位は図１４に「画面ロック解除後の状態」として示す状態となる。なお、本実施形態では、画面ロック状態を解除する際にホーム画面２００を表示させる場合、スリープ状態（画面ロック状態）に遷移する前に実行していたアプリ（図１４ではアプリａ）の状態を停止中にするが、終了させてもよい。
【００９５】
一方、経過時間が１分以上かつ、１時間未満の場合、ステップＳ２２４が否定判定となりステップＳ２２６へ移行する。ステップＳ２２６で表・リスト管理部４４は、優先順位が２位のアプリの情報を取得する。図１４に「画面ロック状態」として示すように、ロックアプリ３８Ｂが起動している間（画面ロック状態の間）は、ロックアプリ３８Ｂの優先順位が１であるため、画面ロック状態（スリープ状態）の直前に実行していたアプリの優先順位は２位になっている。そのため、ステップＳ２２６では、優先順位が２位のアプリとして、画面ロック状態（スリープ状態）の直前に実行していたアプリの情報が取得される。
【００９６】
そして次のステップＳ２２８で表・リスト管理部４４は、画面遷移判定処理を実行する。図１７に示すように、画面遷移判定処理のステップＳ２５０で表・リスト管理部４４は、優先順位が２位のアプリの情報を表・リスト記憶部４６に記憶されている管理リスト４７Ａから検索する。そして表・リスト管理部４４は、検索結果に基づいてアプリの種類が「ビジネス」及び「プライベート」のいずれであるかを判定する。
【００９７】
次のステップＳ２５２で表・リスト管理部４４は、時計７０から現在の日時及び時刻（以下、「現在時刻」と総称する）を取得する。
【００９８】
そして次のステップＳ２５４で表・リスト管理部４４は、表・リスト記憶部４６に記憶されている勤務時間表４７Ｂを参照し、取得した現在時刻が勤務時間帯内及び勤務時間帯外のいずれに該当するかを判定する。
【００９９】
次のステップＳ２５６で表・リスト管理部４４は、上記ステップＳ２５０及びＳ２５４の判定結果と、表・リスト記憶部４６に記憶されている画面遷移判定表４７Ｄと、に基づいて、画面遷移を判定する。
【０１００】
本実施形態の画面遷移判定表４７Ｄには、図１８に例示するように、アプリの種類及び時間帯（勤務時間帯内外）の組合せ毎に画面遷移を規定する情報が登録されている。
【０１０１】
本実施形態では、図１８に例示したように、アプリの種類が「プライベート」で、かつ現在時刻が勤務時間帯内の場合にはディスプレイ２０に表示させる画面をホーム画面２００へ遷移させる。一方、アプリの種類が「プライベート」で、かつ現在時刻が勤務時間帯外の場合には、そのまま復帰、すなわち、画面ロック状態に遷移する直前にディスプレイ２０に表示されていたアプリ画面２０４をディスプレイ２０に表示させる。また、アプリの種類が「ビジネス」で、かつ現在時刻が勤務時間帯内の場合には、そのまま復帰、すなわち、画面ロック状態に遷移する直前にディスプレイ２０に表示されていたアプリ画面２０４をディスプレイ２０に表示させる。一方、アプリの種類が「ビジネス」で、かつ現在時刻が勤務時間帯外の場合にはディスプレイ２０に表示させる画面をホーム画面２００へ遷移させる。
【０１０２】
ステップＳ２５６の処理を行うと、本画面遷移判定処理を終了して、第二処理のステップＳ２３０へ移行する。
【０１０３】
ステップＳ２３０で表・リスト管理部４４は、上記画面遷移判定処理の判定結果に基づいて、画面ロック状態に遷移する直前にディスプレイ２０に表示されていたアプリ画面２０４をそのまま表示させるか否かを判定する。そのまま表示しない、すなわちホーム画面２００へ遷移する場合、否定判定となりステップＳ２３２へ移行する。一方、そのまま表示する場合、肯定判定となりステップＳ２３４へ移行する。
【０１０４】
ステップＳ２３４でアプリ管理部３６は、ロックアプリ３８Ｂを終了状態に切り替える。ロックアプリ３８Ｂの終了に伴い、アプリ管理部３６は、起動中のアプリの優先順位を１つずつ繰り上げる。なお、ステップＳ２３２からステップＳ２３４へ移行した場合、アプリの順位は、図１４に「画面ロック解除後の状態」として示すように、ホームアプリ３８Ａの優先順位が１位のままとなる。一方、ステップＳ２２２またはステップＳ２３０からステップＳ２３４へ移行した場合、アプリの順位は、スリープ状態に遷移する前に実行中であったアプリの優先順位が１位となる。
【０１０５】
次のステップＳ２３６で画面制御部４０は、優先順位が１位のアプリに応じた画面をディスプレイ２０に表示させた後、第二処理を終了する。
【０１０６】
［第２実施形態］
次に、開示の技術の第２実施形態を説明する。なお、第１実施形態と同一の部分には同一の符号を付し、説明を省略する。
【０１０７】
上記第１実施形態では、勤務時間表４７Ｂに基づいて、画面ロック状態を解除する際の時刻（上記現在時刻）が勤務時間帯か否かを判定した判定結果に応じてディスプレイ２０に表示させる画面を判定していた。これに対して本実施形態では、画面ロック状態を解除する際の携帯型情報端末装置１０Ａの位置が勤務地であるか否かを判定した判定結果に応じてディスプレイ２０に表示させる画面の遷移を判定する態様を説明する。
【０１０８】
図１９に示すように、本第２実施形態の携帯型情報端末装置１０Ｂは位置検出部４８を備えている点で第１実施形態の携帯型情報端末装置１０Ａ（図１参照）と相違している。位置検出部４８は、Global Positioning System（以下、「ＧＰＳ」という）センサ７１（図２０参照）により携帯型情報端末装置１０Ｂの位置を検出してその情報を出力する。
【０１０９】
また、表・リスト記憶部４６には、勤務時間表４７Ｂに代えて勤務地表４７Ｅが記憶されている。図２１に例示したように、勤務地表４７Ｅには、ユーザの勤務地の位置情報が設定されている。なお、勤務地の位置情報は、複数設定されていてもよいし、勤務地の位置を２次元または３次元の位置範囲で指定する情報であってもよい。
【０１１０】
また、第２実施形態では、勤務地表４７Ｅ及び位置情報を画面遷移判定処理に用いる。そのため、図２１に例示したように、対応関係表４７Ｃは、勤務地表４７Ｅを参照して画面遷移を判定する場合が情報として登録されている点で第１実施形態（図１６参照）と異なっている。また、図２１に例示したように、画面遷移判定表４７Ｄは携帯型情報端末装置１０Ｂの位置が勤務地か否かに応じて場合分けされている点で第１実施形態（図１８参照）と異なっている。
【０１１１】
図２０に示すように、第２実施形態の携帯型情報端末装置１０Ｂを実現するハードウエアは、第１実施形態（図３）と異なり、時計７０に替わりＧＰＳセンサ７１を備える。また、記憶部６４に記憶されている表示制御プログラム７４は、さらに位置検出プロセス８７を含む。ＣＰＵ６０は、位置検出プロセス８７を実行することで、位置検出部４８として動作する。また、記憶部６４の表・リスト記憶領域８８には勤務時間表記憶領域９２に替わり、勤務地表４７Ｅが記憶される記憶領域として機能する勤務地表記憶領域９３が設けられている。
【０１１２】
なお、第２実施形態におけるサーバ５０は、表・リスト記憶部５４に勤務時間表４７Ｂに替わり勤務地表４７Ｅが記憶される他は第１実施形態のサーバ５０（図１参照）と同様である。また、サーバ５０を実現するハードウエアは、記憶部１２４の表・リスト記憶領域１３６の勤務時間表記憶領域１４０に替わり勤務地表記憶領域が設けられている他は第１実施形態のサーバ５０（図１０参照）と同様である。そのため、第２実施形態では、サーバ５０の構成の説明を省略する。
【０１１３】
次に、第２実施形態に係る携帯型情報端末装置１０Ｂの作用を説明する。
【０１１４】
携帯型情報端末装置１０Ｂで実行される表示制御処理も携帯型情報端末装置１０Ａで実行される表示制御処理と同様に、第一処理及び第二処理を含む。
【０１１５】
まず、第２実施形態の第一処理について説明する。図２２に示すように第２実施形態の第一処理は、第１実施形態の第一処理（図１２参照）のステップＳ１００及びステップＳ１０２に代えてステップＳ１０１及びステップＳ１０３の処理を行う。
【０１１６】
ステップＳ１０１で表・リスト管理部４４は、サーバ５０から管理リスト４７Ａ及び勤務地表４７Ｅを取得する。
【０１１７】
次のステップＳ１０３で表・リスト管理部４４は、表・リスト記憶部４６に記憶されている管理リスト４７Ａ及び勤務地表４７Ｅを、取得した管理リスト４７Ａ及び勤務地表４７Ｅへ更新した後、本第一処理を終了する。
【０１１８】
次に、第２実施形態の第二処理を説明する。本実施形態の第二処理は、第１実施形態の第二処理（図１３参照）のステップＳ２２８で実行される画面遷移判定処理の処理内容が第１実施形態の画面遷移判定処理（図１７参照）と異なっている。
【０１１９】
図２３に示すように、第２実施形態の画面遷移判定処理は、第１実施形態の画面遷移判定処理（図１７参照）のステップＳ２５２及びステップＳ２５４に代えてステップＳ２５３及びステップＳ２５５の処理を行う。
【０１２０】
ステップＳ２５３で表・リスト管理部４４は、位置検出部４８から携帯型情報端末装置１０Ｂの現在位置を取得する。
【０１２１】
そして次のステップＳ２５５で表・リスト管理部４４は、取得した現在位置が勤務地及び勤務地外のいずれに該当するかを判定する。具体的には、表・リスト管理部４４は、携帯型情報端末装置１０Ｂの現在位置が、表・リスト記憶部４６に記憶された勤務地表４７Ｅに登録されている勤務地の位置を基準とした所定範囲内か否かを判定する。これにより、表・リスト管理部４４は、携帯型情報端末装置１０Ｂが勤務地に位置しているか否かを判定する。
【０１２２】
そして、第２実施形態の第二処理の画面遷移判定処理は、画面ロック状態に遷移する前に実行していたアプリの種類の判定結果と携帯型情報端末装置１０Ｂの現在位置が勤務地であるか否かの判定結果とに基づいて画面遷移を判定する。
【０１２３】
このように第２実施形態の携帯型情報端末装置１０Ｂは、現在位置に基づいて画面遷移を判定するため、ユーザが休暇をとっている場合や、勤務時間帯中に外出している場合等であっても、より適切に遷移する画面を判定することができる。
【０１２４】
ここで、ユーザが画面ロック状態に遷移する前に実行していたアプリを覚えていない場合、画面ロック状態の解除後に画面ロック状態に遷移する前にディスプレイ２０に表示させていた画面をそのまま表示してしまうと情報漏洩が生じてしまう懸念がある。
【０１２５】
例えば、周囲に第三者が居ない場合に、第三者に開示したくない画面(プライベートな内容のメールやブラウザ等)や秘匿情報(社内情報等)を閲覧した後に画面ロック状態に遷移し、公共の場で画面ロック状態を解除することがある。また、例えば、仕事の休憩時間中にゲームをしていて画面ロック状態に遷移し、勤務時間帯中に画面ロック状態を解除した際に、ゲームの画面を表示してしまうことがある。
【０１２６】
これに対して、上記各実施形態の携帯型情報端末装置１０Ａ、１０Ｂは、ディスプレイ２０と、制御部２９と、を備える。制御部２９は、無操作時間に基づき画面ロック状態に遷移してから、ロック解除操作に応じた信号の入力に基づき画面ロック状態を解除するまでの経過時間に応じて、画面ロック状態の解除後にディスプレイ２０に表示させる画面を切り替える。制御部２９は、画面の切り替えとして、画面ロック状態に遷移する直前に実行されていた画面表示候補のアプリケーションの画面から前記画面表示候補のアプリケーションの画面と無関係な画面への切り替えを行う。
【０１２７】
このように、上記携帯型情報端末装置１０Ａ、１０Ｂの制御部２９は、画面ロック状態の解除後にディスプレイ２０に表示させる画面を、経過時間に応じて、画面表示候補のアプリのアプリ画面２０４から無関係な画面に切り替える。
【０１２８】
従って、画面ロック状態に遷移する際にディスプレイ２０に表示されていた画面（アプリ画面２０４）をそのまま表示してしまうことにより情報漏洩が生じるのを抑制することができる。
【０１２９】
また、携帯型情報端末装置１０Ａ、１０Ｂでは、制御部２９が自動的に（ユーザ操作を要さず）、画面の切り替えを行うため、ユーザの使い勝手を維持しつつ、情報漏洩を抑制することができる。
【０１３０】
また、上記携帯型情報端末装置１０Ａの制御部２９は、予め登録された勤務時間表４７Ｂに基づき、画面ロック状態の解除後にディスプレイ２０に表示させる画面を切り替える。制御部２９は、ロック解除操作に応じた信号が入力された時間が、勤務時間帯内か否か判定した判定結果と、経過時間と、に応じて、画面ロック状態の解除後にディスプレイ２０に表示させる画面を切り替える。
【０１３１】
従って、携帯型情報端末装置１０Ａによれば、勤務時間帯外の時間帯にロック状態を解除した際に、秘密情報を含むアプリ画面２０４がディスプレイ２０に表示されるのを抑制することができるため、情報漏洩を抑制することができる。
【０１３２】
また、上記携帯型情報端末装置１０Ｂの制御部２９は、予め登録された勤務地表４７Ｅに基づき、画面ロック状態の解除後にディスプレイ２０に表示させる画面を決定する。制御部２９は、ロック解除操作に応じた信号が入力された場所が、勤務地か否か判定した判定結果と、経過時間と、に応じて、画面ロック状態の解除後にディスプレイ２０に表示させる画面を決定する。
【０１３３】
従って、携帯型情報端末装置１０Ａによれば、勤務時地以外の場所でロック状態を解除した際に、秘密情報を含むアプリ画面２０４がディスプレイ２０に表示されるのを抑制することができるため、情報漏洩を抑制することができる。
【０１３４】
また、上記携帯型情報端末装置１０Ａ、１０Ｂの制御部２９は、管理リスト４７Ａを参照して、画面ロック状態の解除後にディスプレイ２０に表示させる画面を決定する。制御部２９は、画面ロック状態に遷移した際にディスプレイ２０に表示させていた画面に対応するアプリの種類を判定した判定結果と、経過時間と、に応じて、画面ロック状態の解除後にディスプレイ２０に表示させる画面を決定する。
【０１３５】
従って、携帯型情報端末装置１０Ａ、１０Ｂによれば、アプリの種類に応じて判定を行うため、情報漏洩の可能性が低い適切な画面をディスプレイ２０に表示させることができる。
【０１３６】
画面ロック状態に遷移する直前は、画面ロック状態に遷移する直前に実行されていたアプリに応じたアプリ画面２０４がディスプレイ２０に表示される。従って、携帯型情報端末装置１０Ａ、１０Ｂによれば、画面ロック状態に遷移する直前にディスプレイ２０に表示されていたアプリ画面２０４が画面ロックを解除した際にディスプレイ２０に不用意に表示されることが抑制される。
【０１３７】
また、上記携帯型情報端末装置１０Ａ、１０Ｂの制御部２９のアプリ管理部３６は、複数のアプリの各々の実行に関する優先順位をリストに登録して管理し、前記優先順位に基づいて画面表示候補のアプリを判定する。
【０１３８】
従って、上記携帯型情報端末装置１０Ａ、１０Ｂによれば、画面表示候補のアプリを容易に判定することができる。
【０１３９】
なお、第２実施形態では、位置検出部４８がＧＰＳセンサ７１を用いて、携帯型情報端末装置１０Ｂの現在位置を検出したが、現在位置を検出する方法は特に限定されない。例えば、携帯型情報端末装置１０Ｂが無線通信の基地局から受信した信号を利用して現在位置を検出してもよい。
【０１４０】
なお、上記各実施形態では、スリープ状態に遷移した場合に、ディスプレイ２０の画面をオフ（消灯）状態にする態様を説明したが、スリープ状態でのディスプレイ２０の表示状態はこれに限らない。例えば、ディスプレイ２０にスクリーンセーバ等から出力された所定の画面（画像）を表示するようにしてもよい。また例えば、スリープ状態に遷移する際にロックアプリ３８Ｂを起動して画面ロック状態に遷移し、スリープ状態の間は、画面ロック画面２０２をディスプレイ２０に表示するようにしてもよい。
【０１４１】
なお、スリープ状態の間にアプリの優先順位が変動した場合は、変動した優先順位に応じて上記各実施形態の第二処理を実行すればよい。例えば、スリープ状態の間にメールを受信した場合は、ロック状態の遷移前に実行していたアプリに替わり、メールの送受信に関するアプリの優先順位が１位になる。この場合、第二処理では、画面ロック状態の解除後にディスプレイ２０に表示させる画面を、メールの送受信に関するアプリのアプリ画面２０４からホーム画面２００に切り替えるか否かを判定する。
【０１４２】
なお、上記各実施形態では、画面ロック状態の解除後に表示する画面として、ホーム画面２００と、アプリ画面２０４との２種類を例示したが、これらに限らない。アプリ画面２０４の他は、どのような画面であってもよい。なお、この際のアプリ画面２０４とは、画面ロック状態の遷移前に実行していたアプリ画面２０４に限らない。例えば、スリープ状態の間に優先順位が変動した場合は、変動した優先順位に準じてもよい。また、例えば、画面ロック状態の間にユーザ操作に応じて指示されたアプリ（例えば、画面ロック状態の解除後に実行するように指示されたアプリ）のアプリ画面２０４であってもよい。また、画面の種類は２種類であってもよいし、４種類以上であってもよい。
【０１４３】
なお、上記各実施形態では、アプリの種類が２種類の場合について説明したが、アプリの種類は２種類に限定されない。なお、アプリの種類が３種類以上の場合、アプリの種類に応じた管理リスト４７Ａ、勤務時間表４７Ｂ、勤務地表４７Ｅ、及び画面遷移判定表４７Ｄを用いて画面遷移判定処理等を行えばよい。アプリの種類がＡ社の業務に対応する「ビジネス１」、Ｂ社の業務に対応する「ビジネス２」、及びその他の「プライベート」の３種類が存在する具体例の場合、管理リスト４７Ａは、「ビジネス１」、「ビジネス２」、及び「プライベート」の３つのリストを含む。そして、勤務時間表４７Ｂまたは勤務地表４７Ｅには、Ａ社の勤務時間帯、Ｂ社の勤務時間帯、及び両者の勤務時間帯外の３つの時間帯を設定しておく。さらに、画面遷移判定表４７Ｄには、アプリの種類及び時間帯（勤務時間帯内外）の組合せ毎に画面遷移を規定する情報を登録しておけばよい。
【０１４４】
なお、上記各実施形態では、対応関係表４７Ｃ及び画面遷移判定表４７Ｄが予め携帯型情報端末装置１０Ａ、１０Ｂの表・リスト管理部４４に記憶されているものを用いた。しかしながら、対応関係表４７Ｃ及び画面遷移判定表４７Ｄの少なくとも一方をユーザや管理者等により設定可能としてもよい。例えば、対応関係表４７Ｃ（図１６、２１参照）の経過時間を設定可能としてもよい。サーバ５０で設定を行う場合、管理リスト４７Ａ及び勤務時間表４７Ｂと同様に表・リスト記憶部５４に対応関係表４７Ｃ及び画面遷移判定表４７Ｄを記憶し、表・リスト設定部５２により管理者が設定を行えばよい。
【０１４５】
なお、上記各実施形態では、サーバ５０により管理リスト４７Ａ、及び勤務時間表４７Ｂまたは勤務地表４７Ｅを設定する場合について説明したが、当該設定を行う装置は、サーバ５０に限らない。例えば、携帯型情報端末装置１０Ａ、１０Ｂを用いてユーザが当該設定を行ってもよい。この場合、携帯型情報端末装置１０Ａ、１０Ｂの表・リスト管理部４４が表・リスト設定部５２の機能を有すればよい。なお、上記各実施形態のようにサーバ５０により管理リスト４７Ａ、及び勤務時間表４７Ｂまたは勤務地表４７Ｅを設定する場合、複数の携帯型情報端末装置１０Ａ、１０Ｂを１台のサーバ５０で一括して管理することができる。例えば、会社等が所持するサーバ５０により、複数の従業員の各々が所持する携帯型情報端末装置１０Ａ、１０Ｂに対して一括して管理することができ、また、部署等毎に管理することもできるため、より適切に情報漏洩を抑制することができる。またこの場合、サーバ５０の表・リスト設定部５２が、各携帯型情報端末装置１０Ａ、１０Ｂからその他アプリ３８Ｃの情報等を取得して、管理リスト４７Ａの設定を更新することにより、管理リスト４７Ａの自動更新が可能になる。
【０１４６】
なお、上記各実施形態の携帯型情報端末装置１０Ａ、１０Ｂでは、ユーザの行動として仕事を行う場合の態様について説明したが、ユーザの行動は仕事に限定されるものではない。例えば、ユーザが学業を行う場合であってもよい。この場合、上記各実施形態における「ビジネス」を「スクール」等とし、また、「勤務」を「学業」等と置き換えればよい。また例えば、ユーザがプライベートな複数種類の行動を行う場合であってもよい。この場合、上記各実施形態における「ビジネス」及び「プライベート」を「プライベート１」及び「プライベート２」等とし、また、それぞれの行動に対応する時間帯、場所等を設定すればよい。
【０１４７】
なお、上記各実施形態では、携帯型情報端末装置１０Ａ、１０Ｂが実行するアプリの種類に応じてディスプレイ２０に表示させる画面を切り替える場合について説明したが、World Wide Web（以下、「Ｗｅｂ」という）の種類に応じて切り替えてもよい。この場合、Ｗｅｂのアドレスを分類した管理リスト４７Ａを設定すればよい。
【０１４８】
なお、上記各実施形態の携帯型情報端末装置１０Ａ、１０Ｂでは、スリープ状態に遷移して画面がオフされるのと同じタイミングで画面ロック状態に遷移する場合について説明したが、画面ロック状態に遷移するタイミングはこれに限定されない。例えば、画面がオフされてから数秒後に画面ロック状態に遷移してもよい。
【０１４９】
なお、上記各実施形態では、開示の技術の表示装置がスマートフォンである態様を説明したが、表示装置はこれに限らない。例えば、タブレット端末等に代表されるその他のPersonal Digital Assistants（ＰＤＡ）等であってもよい。また、例えば、いわゆるデスクトップ型のパーソナルコンピュータや、ラップトップ型のパーソナルコンピュータであってもよい。
【０１５０】
また、上記各実施形態では、携帯型情報端末装置１０Ａ、１０Ｂを表示装置の一例とし、ディスプレイ２０と、制御部２９と、を同一の装置が備える場合について説明したが、別々の装置が備えていてもよい。例えば、図２４にハードウエアの構成を示したように、表示部２０Ａ及びタッチパネル２０Ｂを備えたディスプレイ２１と、制御部２９に対応するＣＰＵ６０及び表示制御プログラム７４を備えた表示制御装置１９と、の２つの装置として構成してもよい。
【０１５１】
また、上記各実施形態では、表示制御プログラム７４が携帯型情報端末装置１０Ａ、１０Ｂの記憶部６４に予め記憶（インストール）されている状態を説明した。しかしながら、表示制御プログラム７４を記録媒体に記録された形態で提供することも可能である。記録媒体としては、例えば、Compact Disc Read Only Memory（ＣＤ−ＲＯＭ）、Digital Versatile Disk Read Only Memory（ＤＶＤ−ＲＯＭ）、及びUniversal Serial Bus（ＵＳＢ）メモリ等が挙げられる。また、インターネット等の通信回線を介して、外部装置等から表示制御プログラム７４をダウンロードすることも可能である。
【０１５２】
以上の上記実施形態に関し、更に以下の付記を開示する。
【０１５３】
（付記１）
表示部と、
無操作時間に基づき画面ロック状態に遷移してから、ロック解除操作に応じた信号の入力に基づき画面ロック状態を解除するまでの経過時間に応じて、画面ロック状態の解除後に前記表示部に表示させる画面を、画面ロック状態に遷移する直前に実行されていた画面表示候補のアプリケーションの画面から前記画面表示候補のアプリケーションの画面と無関係な画面に切り替える制御部と、
を備えた表示装置。
【０１５４】
（付記２）
前記制御部は、前記経過時間が第１閾値よりも小さい場合、前記無関係な画面に切り替え、前記経過時間が第１閾値以上第２閾値未満の場合、前記画面表示候補のアプリケーションの画面及び前記無関係な画面のうち、前記画面表示候補のアプリケーションに基づいて判定した画面に切り替え、第２閾値以上の場合、前記画面表示候補のアプリケーションの画面を表示させる、
付記１に記載の表示装置。
【０１５５】
（付記３）
前記制御部は、予め登録されたユーザの行動スケジュールに関する情報に基づき、ロック解除操作に応じた信号が入力された時間が、画面表示候補のアプリケーションと対応付けられた行動をユーザが行う時間帯内か否か判定した判定結果と、前記経過時間と、に応じて、画面ロック状態の解除後に前記表示部に表示させる画面を切り替える、
付記１または付記２に記載の表示装置。
【０１５６】
（付記４）
前記制御部は、予め登録されたユーザの滞在地に関する情報に基づき、ロック解除操作に応じた信号が入力された場所が、画面表示候補のアプリケーションと対応付けられた滞在地か否か判定した判定結果と、前記経過時間と、に応じて、画面ロック状態の解除後に前記表示部に表示させる画面を決定する、
付記１または付記２に記載の表示装置。
【０１５７】
（付記５）
前記制御部は、複数のアプリケーションの各々の実行に関する優先順位をリストに登録して管理し、前記優先順位に基づいて前記画面表示候補のアプリケーションを判定する、
付記２から付記４のいずれか１つに記載の表示装置。
【０１５８】
（付記６）
前記制御部は、アプリケーションの種類に応じたリストを参照して、画面ロック状態に遷移した際に前記表示部に表示させていた画面に対応するアプリケーションの種類を判定した判定結果と、前記経過時間と、に応じて、画面ロック状態の解除後に前記表示部に表示させる画面を決定する、
付記１から付記５のいずれか１つに記載の表示装置。
【０１５９】
（付記７）
前記制御部は、経過時間と画面遷移との対応関係を表す情報を設定するサーバから取得した前記対応関係を表す情報に基づいて画面ロック状態の解除後に前記表示部に表示させる画面を決定する、
付記１から付記６のいずれか１つに記載の表示装置。
【０１６０】
（付記８）
携帯型の表示装置である、
付記１から付記７のいずれか１つに記載の表示装置。
【０１６１】
（付記９）
無操作時間に基づき画面ロック状態に遷移してから、ロック解除操作に応じた信号の入力に基づき画面ロック状態を解除するまでの経過時間に応じて、画面ロック状態の解除後に表示部に表示させる画面を、画面ロック状態に遷移する直前に実行されていた画面表示候補のアプリケーションの画面から前記画面表示候補のアプリケーションの画面と無関係な画面に切り替える制御部を備えた、
表示制御装置。
【０１６２】
（付記１０）
コンピュータに、
無操作時間に基づき画面ロック状態に遷移してから、ロック解除操作に応じた信号の入力に基づき画面ロック状態を解除するまでの経過時間に応じて、画面ロック状態の解除後に前記表示部に表示させる画面を、画面ロック状態に遷移する直前に実行されていた画面表示候補のアプリケーションの画面から前記画面表示候補のアプリケーションの画面と無関係な画面に切り替える
ことを含む処理を実行させるための表示制御プログラム。
【０１６３】
（付記１１）
画面ロック状態の解除後に前記表示部に表示させる画面を、前記経過時間に応じて、画面表示候補のアプリケーションの画面、又は、前記アプリケーションの画面以外の画面に切り替える、
ことを含む処理をコンピュータに実行させるための付記１０に記載の表示制御プログラム。
【０１６４】
（付記１２）
予め登録されたユーザの行動スケジュールに関する情報に基づき、ロック解除操作に応じた信号が入力された時間が、画面表示候補のアプリケーションと対応付けられた行動をユーザが行う時間帯内か否か判定した判定結果と、前記経過時間と、に応じて、画面ロック状態の解除後に前記表示部に表示させる画面を切り替える、
ことを含む処理をコンピュータに実行させるための付記１０または付記１１に記載の表示制御プログラム。
【０１６５】
（付記１３）
予め登録されたユーザの滞在地に関する情報に基づき、ロック解除操作に応じた信号が入力された場所が、画面表示候補のアプリケーションと対応付けられた滞在地か否か判定した判定結果と、前記経過時間と、に応じて、画面ロック状態の解除後に前記表示部に表示させる画面を決定する、
ことを含む処理をコンピュータに実行させるための付記１０または付記１１に記載の表示制御プログラム。
【０１６６】
（付記１４）
前記画面表示候補のアプリケーションは画面ロック状態に遷移する直前に実行されていたアプリケーションである、
ことを含む処理をコンピュータに実行させるための付記１１から付記１３のいずれか１つに記載の表示制御プログラム。
【０１６７】
（付記１５）
複数のアプリケーションの各々の実行に関する優先順位をリストに登録して管理し、前記優先順位に基づいて前記画面表示候補のアプリケーションを判定する、
ことを含む処理をコンピュータに実行させるための付記１１から付記１３のいずれか１つに記載の表示制御プログラム。
【０１６８】
（付記１６）
コンピュータにより、
無操作時間に基づき画面ロック状態に遷移してから、ロック解除操作に応じた信号の入力に基づき画面ロック状態を解除するまでの経過時間に応じて、画面ロック状態の解除後に前記表示部に表示させる画面を、画面ロック状態に遷移する直前に実行されていた画面表示候補のアプリケーションの画面から前記画面表示候補のアプリケーションの画面と無関係な画面に切り替える
ことを含む処理を実行させる表示制御方法。
【符号の説明】
【０１６９】
１０Ａ、１０Ｂ  携帯型情報端末装置
１９  表示制御装置
２０、２１  ディスプレイ
２９  制御部
３０  端末状態管理部
３２  タッチセンサ制御部
３４  ハードキー制御部
３６  アプリ管理部
４０  画面制御部
４４  表・リスト管理部
４６  表・リスト記憶部
４７Ａ  管理リスト
４７Ｂ  勤務時間表
５０  サーバ
５２  表・リスト設定部
６０  ＣＰＵ
６２  メモリ
６４  記憶部
７４  表示制御プログラム
【図１】
0006693645.tif 000002
【図２Ａ】
0006693645.tif 000003
【図２Ｂ】
0006693645.tif 000004
【図２Ｃ】
0006693645.tif 000005
【図３】
0006693645.tif 000006
【図４】
0006693645.tif 000007
【図５】
0006693645.tif 000008
【図６】
0006693645.tif 000009
【図７】
0006693645.tif 000010
【図８】
0006693645.tif 000011
【図９】
0006693645.tif 000012
【図１０】
0006693645.tif 000013
【図１１】
0006693645.tif 000014
【図１２】
0006693645.tif 000015
【図１３】
0006693645.tif 000016
【図１４】
0006693645.tif 000017
【図１５】
0006693645.tif 000018
【図１６】
0006693645.tif 000019
【図１７】
0006693645.tif 000020
【図１８】
0006693645.tif 000021
【図１９】
0006693645.tif 000022
【図２０】
0006693645.tif 000023
【図２１】
0006693645.tif 000024
【図２２】
0006693645.tif 000025
【図２３】
0006693645.tif 000026
【図２４】
0006693645.tif 000027